(57)【要約】【課題】一次光源として略点状の光源を用い、輝度性能の低下を抑えつつ輝度ムラの発生を防止し、高輝度かつ高品位な面光源装置、を可能にする面光源装置用導光体を提供する。【解決手段】略点状の一次光源からの光が入射する光入射端面４１と光が出射する光出射面４３とを有する矩形状の面光源装置用導光体。光入射端面４１は、少なくとも一部の領域に、光出射面４３からその反対側の裏面４４に向かう方向に延びて互いに並列に配列された複数の第１のレンズ列４１ａと、光入射端面４１の長手方向に沿った方向に延びて互いに並列に配列された複数の第２のレンズ列４１ｂとを有する。第１のレンズ列４１ａの配列ピッチは、第１のレンズ列４１ａの幅よりも大きい。【選択図】図２
2012038423.tif 000002
【特許請求の範囲】
【請求項１】
略点状の一次光源からの光が入射する光入射端面と光が出射する光出射面とを有する矩形状の面光源装置用導光体において、
前記光入射端面は、少なくとも一部の領域に、前記光出射面からその反対側の裏面に向かう方向に延びて互いに並列に配列された複数の第１のレンズ列と、前記光入射端面の長手方向に沿った方向に延びて互いに並列に配列された複数の第２のレンズ列とを有し、前記第１のレンズ列の配列ピッチは、前記第１のレンズ列の幅よりも大きいことを特徴とする面光源装置用導光体。
【請求項２】
前記第１のレンズ列および前記第２のレンズ列のそれぞれは、前記第１のレンズ列および前記第２のレンズ列のそれぞれが延びる方向に垂直な断面が円弧形状をなすことを特徴とする、請求項１に記載の面光源装置用導光体。
【請求項３】
前記第１のレンズ列は、前記第１のレンズ列の延びる方向に垂直な断面における傾斜角度が５度以上４５度以下であることを特徴とする、請求項１または２に記載の面光源装置用導光体。
【請求項４】
前記第２のレンズ列は、前記第２のレンズ列の延びる方向に垂直な断面における傾斜角度が５度以上２０度以下であることを特徴とする、請求項１乃至３のいずれか一項に記載の面光源装置用導光体。
【請求項５】
前記第２のレンズ列の配列ピッチは、前記第２のレンズ列の幅よりも大きいことを特徴とする、請求項１乃至４のいずれか一項に記載の面光源装置用導光体。
【請求項６】
前記第１のレンズ列の配列ピッチは、前記第２のレンズ列の配列ピッチよりも小さいことを特徴とする、請求項１乃至５のいずれか一項に記載の面光源装置用導光体。
【請求項７】
前記第１のレンズ列の配列ピッチと前記第１のレンズ列の幅との比率は１〜８であり、前記第２のレンズ列の配列ピッチと前記第２のレンズ列の幅との比率は１〜４であることを特徴とする、請求項１乃至６のいずれか一項に記載の面光源装置用導光体。
【請求項８】
請求項１乃至７のいずれか一項に記載の面光源装置用導光体と、前記光入射端面に隣接して前記光入射端面の長手方向に沿った方向に複数配列された略点状の一次光源と、を備える面光源装置であって、
前記第１のレンズ列は、前記光入射端面の前記一次光源と対向する領域に設けられていることを特徴とする面光源装置。
【発明の詳細な説明】
【技術分野】
【０００１】
本発明は、エッジライト方式の面光源装置およびそれを構成するのに用いられる導光体に関するものである。
【背景技術】
【０００２】
液晶表示装置は、基本的にバックライトと液晶表示素子とから構成されている。バックライトとしては、液晶表示装置のコンパクト化の観点からエッジライト方式の面光源装置が多用されている。エッジライト方式の面光源装置においては、矩形板状の導光体の少なくとも１つの端面を光入射端面として用いて、該光入射端面に沿って直管型蛍光ランプなどの線状または棒状の一次光源を配置し、該一次光源から発せられた光を導光体の光入射端面から導光体内部へと導入し、該導光体の２つの主面のうちの一方である光出射面から出射させるようにしている。
【０００３】
近年、ノートパソコンのモニター用途においてマルチメディア視聴用途の機会が増加し、その需要も高まっている。そこで、液晶表示装置に対する高解像度化、低消費電力化が求められている。さらに、モバイル用途においては、ノートパソコンの軽量化、薄型化、低消費電力化の需要が高まっている。従って、面光源装置に対して、輝度性能の向上、薄型化、低消費電力化が求められている。
【０００４】
従来、ノートパソコン等に用いられる面光源装置においては、一次光源として冷陰極管（ＣＣＦＬ）が用いられてきたが、上述のような需要に応えるために、次第に一次光源としてＬＥＤなどの点状光源が用いられるようになってきている。しかしながら、ＬＥＤは出射光の指向性が強いので、複数のＬＥＤが離間配置される場合に、ＬＥＤの正面に対応する部分と互いに隣接する２つのＬＥＤの間に対応する部分とで輝度に差が生じ、即ち輝度ムラが発生してしまうという問題があった。特に、近年ではノートパソコン等の液晶表示装置の額縁部分（即ち有効表示領域の周囲の枠状非表示領域の部分）が小さくなってきており、従ってＬＥＤを一次光源として利用した面光源装置の額縁部分（即ち有効発光領域の周囲の枠状非発光領域の部分）も小さくすることが要求されているので、以上のような輝度ムラの発生を防止する技術の開発が望まれている。
【０００５】
特開平１０−２９３２０２号公報（特許文献１）では、面光源装置において、少なくとも板状部材の点光源に対向する領域に、出射面より裏面に延長する複数の溝を形成することで、点光源を用いた際に入射端面近傍に発生する輝度ムラの発生を防止する技術が開示されている。
【先行技術文献】
【特許文献】
【０００６】
【特許文献１】特開平１０−２９３２０２号公報
【発明の概要】
【発明が解決しようとする課題】
【０００７】
近年では、液晶表示装置の額縁部分及び面光源装置の額縁部分は数ミリメートル以下の幅にまで小さくなってきているが、特許文献１に記載の技術では、面光源装置の導光体の光入射端面近傍における輝度ムラの発生の防止が十分ではなかった。また、輝度ムラの発生を隠すために、液晶表示装置の額縁部分及び面光源装置の額縁部分を大きくすることも考えられるが、額縁部分を大きくし有効表示領域及び有効発光領域を小さくすることは、液晶表示装置及び面光源装置の小型化及び省電力化の観点から好ましくない。さらに、面光源装置において拡散シートなどを追加配置して輝度ムラを視認されにくくすることも考えられるが、これは面光源装置の輝度低下をひきおこすので液晶表示装置の省電力化の観点から好ましくない。
【０００８】
本発明の１つの目的は、一次光源として略点状の光源を用い、輝度性能の低下を抑えつつ輝度ムラの発生を防止し、高輝度かつ高品位な面光源装置、を可能にする面光源装置用導光体を提供することにある。また、本発明の他の目的は、以上のような面光源装置用導光体を用いる面光源装置を提供することにある。
【課題を解決するための手段】
【０００９】
本発明によれば、上記の課題を解決するために、
略点状の一次光源からの光が入射する光入射端面と光が出射する光出射面とを有する矩形状の面光源装置用導光体において、
前記光入射端面は、少なくとも一部の領域に、前記光出射面からその反対側の裏面に向かう方向に延びて互いに並列に配列された複数の第１のレンズ列と、前記光入射端面の長手方向に沿った方向に延びて互いに並列に配列された複数の第２のレンズ列とを有し、前記第１のレンズ列の配列ピッチは、前記第１のレンズ列の幅よりも大きいことを特徴とする面光源装置用導光体、
が提供される。
【００１０】
本発明の一態様においては、前記第１のレンズ列および前記第２のレンズ列のそれぞれは、前記第１のレンズ列および前記第２のレンズ列のそれぞれが延びる方向に垂直な断面が円弧形状をなす。本発明の一態様においては、前記第１のレンズ列は、前記第１のレンズ列の延びる方向に垂直な断面における傾斜角度が５度以上４５度以下である。本発明の一態様においては、前記第２のレンズ列は、前記第２のレンズ列の延びる方向に垂直な断面における傾斜角度が５度以上２０度以下である。本発明の一態様においては、前記第２のレンズ列の配列ピッチは、前記第２のレンズ列の幅よりも大きい。本発明の一態様においては、前記第１のレンズ列の配列ピッチは、前記第２のレンズ列の配列ピッチよりも小さい。本発明の一態様においては、前記第１のレンズ列の配列ピッチと前記第１のレンズ列の幅との比率は１〜８であり、前記第２のレンズ列の配列ピッチと前記第２のレンズ列の幅との比率は１〜４である。
【００１１】
また、本発明によれば、上記の課題を解決するために、
以上のような面光源装置用導光体と、前記光入射端面に隣接して前記光入射端面の長手方向に沿った方向に複数配列された略点状の一次光源と、を備える面光源装置であって、
前記第１のレンズ列は、前記光入射端面の前記一次光源と対向する領域に設けられていることを特徴とする面光源装置、
が提供される。
【発明の効果】
【００１２】
本発明によれば、一次光源として略点状の光源を用い、輝度性能の低下を抑えつつ輝度ムラの発生を防止し、高輝度かつ高品位な面光源装置、を可能にする面光源装置用導光体が提供される。また、本発明によれば、以上のような面光源装置用導光体を用いる面光源装置が提供される。
【図面の簡単な説明】
【００１３】
【図１】本発明に基づく面光源装置の一実施形態を示す模式的斜視図である。
【図２】本発明に基づく面光源装置用導光体を示す模式的斜視図である。
【図３】本発明に基づく面光源装置用導光体の光入射端面に形成される第１のレンズ列及び第２のレンズ列の傾斜角度を説明するための模式図である。
【図４】本発明に基づく面光源装置の一実施形態を示す模式的分解斜視図である。
【図５】本発明に基づく面光源装置用導光体を示す模式的斜視図である。
【図６】本発明に基づく面光源装置用導光体を示す模式的断面図である。
【図７】本発明に基づく面光源装置用導光体を示す模式的平面図である。
【図８】本発明に基づく面光源装置用導光体を示す模式的断面図である。
【図９】本発明に基づく面光源装置における光偏向素子による光の偏向を示した図である。
【図１０】本発明の実施例で得られた面光源装置の輝度分布の測定結果を示す図である。
【図１１】比較例で得られた面光源装置の輝度分布の測定結果を示す図である。
【発明を実施するための形態】
【００１４】
以下、図面を参照しながら本発明の実施の形態を説明する。
【００１５】
図１は本発明による面光源装置の一実施形態を示す模式的斜視図であり、図２は本実施形態における導光体（即ち本発明による面光源装置用導光体の一実施形態）の模式的斜視図である。図１及び図２に示されているように、本実施形態の面光源装置は、少なくとも一つの側端面を光入射端面４１とし、これと略直交する一つの表面を光出射面４３とする導光体４と、この導光体４の光入射端面４１に対向して配置されリフレクタ１０で覆われた一次光源２と、導光体４の光出射面上に配置された光偏向素子６と、導光体４の光出射面４３とは反対側の裏面４４に対向して配置された光反射素子８とを含んで構成されている。一次光源２としては、複数の略点状の光源（本実施形態ではＬＥＤ）を配列したものが用いられる。ここで、一次光源につき「略点状」とは、冷陰極管等におけるような線状または棒状に比べて点状と見なし得る程度のものであって、本発明の課題解決において有意な程度の孤立した形状を包含するものとする。複数の一次光源２は、それらから発せられる光の最大強度光の方向が互いに平行となるように配置するのが好ましい。一次光源２から発せられる光の最大強度光の方向は、たとえばＸ方向とすることができる。
【００１６】
（導光体）
導光体４は、ＸＹ面と平行に配置され、全体として矩形板状をなしている。導光体４は、４つの側端面を有しており、そのうちのＹＺ面と略平行な１対の側端面のうちの一方が光入射端面４１とされ、該光入射端面と対向するように一次光源２が隣接配置されている。導光体４のＹＺ面と略平行な１対の側端面のうちの他方の側端面は、光入射端面と反対側の反対端面４２とされている。導光体４の光入射端面４１に略直交する２つの主面は、いずれもＺ方向と略直交するように配置されており、一方の主面である上面が光出射面４３とされている。
【００１７】
（導光体の光入射端面の構成）
図２に示されるように、導光体の光入射端面４１には、導光体の光出射面４３から裏面４４に向かう方向（即ちＺ方向）に延びて互いに並列に配列された複数の第１のレンズ列４１ａと、光入射端面４１の長手方向（即ちＹ方向）に延びて互いに並列に配列された複数の第２のレンズ列４１ｂと、が形成されている。このように導光体の光入射端面４１に第１のレンズ列４１ａおよび第２のレンズ列４１ｂを形成することにより、一次光源２から到来する入射光を上下左右（即ちＺ方向およびＹ方向）に拡散させて導光体４内に導入することができるため、面光源装置の光入射端面近傍において輝度ムラが発生することを防止することができる。
【００１８】
第１のレンズ列４１ａおよび第２のレンズ列４１ｂの、それぞれのレンズ列が延びる方向に垂直な断面の形状は、種々の形状とすることができる。但し、断面が略三角形のプリズム列では、光入射端面４１への入射光が規則性を有して拡散されて導光体４内に導入されるため、光入射端面近傍での輝度ムラ発生防止の作用は十分に高くはない。輝度ムラ発生防止の作用を一層高めるためには、レンズ列の断面形状を円弧形状等の曲線形状とすることが好ましい。即ち、第１のレンズ列４１ａおよび第２のレンズ列４１ｂをレンチキュラーレンズ列とすることにより、光入射端面近傍において輝度ムラの発生を十分に抑制することができる。本発明の実施形態では、レンズ列が延びる方向に垂直な断面において傾斜角度が所定の範囲内にあるレンズ列が用いられる。傾斜角度が所定の範囲内であれば、レンズ列の断面形状は、単純円弧であってもよく、非円弧の曲線であってもよい。
【００１９】
次に、図３を参照しながら、第１のレンズ列４１ａおよび第２のレンズ列４１ｂの傾斜角度について説明する。これらのレンズ列の傾斜角度は、レンズ列の延びる方向に垂直な断面（図３に示される断面）において、レンズ部エッジＣとレンズ部頂部Ｔとを結ぶ傾斜線Ｌと当該レンズ列の２つのレンズ部エッジを結ぶ直線Ｓとのなす角度αによって定義される。図３に示されるように、互いに隣接するレンズ部の間に平坦部が存在する場合には、直線Ｓは平坦部を示す直線に合致する。
【００２０】
第１のレンズ列４１ａの断面形状の傾斜角度は５度〜４５度の範囲内とされることが好ましく、第２のレンズ列４１ｂの傾斜角度は、５度〜２０度の範囲内とされることが好ましい。第１のレンズ列４１ａの傾斜角度が５度を下回ると、Ｙ方向の光の拡散が不十分となり、面光源装置の光入射端面近傍において輝度ムラが発生する恐れがある。また、第１のレンズ列４１ａの傾斜角度が４５度を上回ると、Ｙ方向の光の拡散が分離され、面光源装置の光入射端面近傍において輝度ムラが発生する恐れがある。また、第２のレンズ列４１ｂについては、傾斜角度が５度を下回ると、Ｘ方向の光の拡散が不十分となり、光入射端面近傍で輝度ムラが発生する恐れがあり、平均傾斜角度が２０度を上回ると、Ｘ方向の光の拡散が分離され光入射端面近傍に輝線が発生する恐れがある。
【００２１】
また、第１のレンズ列４１ａは、隣接する第１のレンズ列４１ａとの間に所定の距離をおいて配置されてもよい（すなわち、第１のレンズ列４１ａの幅よりも、第１のレンズ列４１ａの配列ピッチの方が大きい）。たとえば、第１のレンズ列４１ａの配列ピッチと第１のレンズ列４１ａの幅との比率（即ち第１のレンズ列４１ａの幅に対する第１のレンズ列４１ａの配列ピッチの比率）は１〜８である。同様に、第２のレンズ列４１ｂは、隣接する第２のレンズ列４１ｂとの間に所定の距離をおいて配置されてもよい（すなわち、第２のレンズ列４１ｂの幅よりも、第２のレンズ列４１ｂの配列ピッチの方が大きい）。たとえば、第２のレンズ列４１ｂの配列ピッチと第２のレンズ列４１ｂの幅との比率（即ち第２のレンズ列４１ｂの幅に対する第２のレンズ列４１ｂの配列ピッチの比率）は１〜４である。また、第１のレンズ列４１ａおよび第２のレンズ列４１ｂの配列ピッチは、光入射端面全域に渡って一定である必要はなく、ＬＥＤからなる一次光源２の正面の領域（即ち一次光源２に対応する領域）ではレンズ列を密に配置するなどして、光入射端面内の領域によって配列ピッチを変化させても構わない。
【００２２】
また、面光源装置の省電力化の観点から、ＬＥＤからなる一次光源２がＹ方向に離間して配置される場合が多くなっている。一次光源２が離間して配置された場合には、Ｙ方向にできるだけ光を拡散させ、一次光源間の領域と一次光源の正面の領域とにおいて輝度ムラが発生することを防止することが好ましい。Ｙ方向の光の拡散能を大きくするため、第１のレンズ列４１ａの曲率半径を第２のレンズ列４１ｂの曲率半径よりも小さくする、第１のレンズ列４１ａの高さを第２のレンズ列４１ｂの高さよりも高くする、互いに隣接する第１のレンズ列４１ａ同士の間隔を互いに隣接する第２のレンズ列４１ｂ同士の間隔よりも小さくする、曲率半径・高さ・レンズ列同士の間隔を組み合わせて変更する、等をしてもよい。また、第１のレンズ列４１ａおよび第２のレンズ列４１ｂの曲率半径、高さ、間隔は、光入射端面全域に渡って一定である必要はなく、例えば一次光源２の正面の領域において、他の領域におけるよりも第１のレンズ列４１ａの高さを高くしたりしてもよい。また、第１のレンズ列４１ａおよび第２のレンズ列４１ｂの表面が粗面化されてもよく、互いに隣接する第１のレンズ列４１ａの間の領域および互いに隣接する第２のレンズ列４１ｂの間の領域が粗面化されても構わない。
【００２３】
尚、上記のようにレンズ列の配列ピッチや曲率半径及び高さひいては傾斜角度などを光入射端面内の領域に応じて変化させる場合には、これらの数値上の大小比較については、互いに最も近接する部分について行うものとする。
【００２４】
（導光体の光出射面の構成）
図４に示されているように、光出射面４３は、光出射制御機能構造としての微細凹凸構造を有する粗面４３ａからなる領域および／または複数の第３のレンズ列４３ｂが形成された領域が形成されてもよい。第３のレンズ列４３ｂは、一次光源２（ＬＥＤ）から発せられ導光体４へと導入された光の最大強度光の、光出射面４３に沿った面内での方向（すなわち、光出射面４３に沿った面内での、導光体光入射端面４１に入射し導光体４内に導入された最大強度光の指向性の方向）であるＸ方向にほぼ沿って延び、且つ互いに略平行に配列されていることが好ましい。即ち、互いに略平行に配列された第３のレンズ列４３ｂのそれぞれは、光出射面４３と光入射端面４１との境界に垂直の方向即ちＸ方向にほぼ沿って延びるように形成されることが好ましい。尚、ここでいう「光出射面４３と光入射端面４１との境界」における「光出射面４３」は、粗面４３ａ及びレンズ列４３ｂの形状を除外したものを指すものとし、具体的にはＸＹ面と平行である。すなわち、ここでいう「光出射面４３と光入射端面４１との境界」は、大略Ｙ方向に沿って延びている。
【００２５】
第３のレンズ列４３ｂは、第３のレンズ列４３ｂの延びる方向と直交する断面の形状を、ＬＥＤの配置間隔に応じて、円弧形状、Ｖ字形状、先端ＲのＶ字形状、サインカーブ、放物線形状等の所望の形状にすることができる。第３のレンズ列４３ｂは、そこを通過または反射する光線を規則的に方向制御する機能があり、点状の一次光源２から出射された光を拡散させる機能がある。そのため、断面形状は多数の角度成分を持つ円弧形状、または、先端ＲのＶ字形状が好ましい。
【００２６】
前記断面内において、第３のレンズ列４３ｂの形状として円弧形状または先端ＲのＶ字形状を用いた場合、その曲率半径は、例えば５〜２００μｍ、好ましくは７〜１２０μｍ、より好ましくは１０〜５０μｍである。また、第３のレンズ列４３ｂの配列ピッチは、例えば１０μｍ〜２００μｍ、好ましくは１０μｍ〜１５０μｍ、より好ましくは２０μｍ〜１００μｍであり、前記曲率半径と組み合わせて、所望の形状が得られればよい。
【００２７】
また、いずれの形状の場合でも、第３のレンズ列４３ｂの表面すなわち該レンズ列を構成するレンズ面（レンズ列の「斜面」ともいう）が粗面化されていても良い。粗面は光をランダムに拡散させる機能がある。レンズ列の斜面を粗面化することで、両者の機能がミックスされ、より効果的に輝度むらの解消を実現することが可能となる。レンズ列斜面の粗面化度合いにより規則的方向制御機能による効果とランダム拡散機能による効果との割合が変化するが、斜面の粗面化の度合いは、斜面を基準面とした後述の平均傾斜角は、０．１〜１０度が好ましく、０．５〜３度がより好ましい。平均傾斜角が０．５度以上であると粗面による拡散効果が充分に得られ、平均傾斜角が３度以下であるとレンズ列の規則的方向制御効果が充分に得られる。
【００２８】
光出射面４３において第３のレンズ列４３ｂが形成される領域は、光入射端面に近接する領域である。この領域は、光入射端面４１に隣接する光出射面４３の端縁に沿って延びる帯状の領域とすることができる。この領域は、後述の有効表示領域Ｆの外にあること、すなわち光入射端面４１に隣接する光出射面４３の端縁（換言すれば上記の光出射面４３と光入射端面４１との境界）と有効表示領域Ｆとに挟まれた部分（入射側端縁部）にあることが好ましい。第３のレンズ列４３ｂが有効表示領域Ｆ内へとはみ出て形成されると、第３のレンズ列４３ｂが形成されている領域とそうでない領域との境界線が有効表示領域Ｆ内に出てしまい、輝度ムラが見えてしまうことがある。また第３のレンズ列４３ｂが形成された帯状領域の幅は、上記の作用効果が十分に得られる大きさ、例えば、導光体の厚みの２倍以上であることが好ましい。第３のレンズ列４３ｂが形成される領域が小さすぎると、上記の作用効果が充分に得られずに、輝度ムラが発生する恐れがある。
【００２９】
有効表示領域Ｆとは、図１に示されるように面光源装置の発光面上に透過型液晶表示素子等の表示素子を配置して液晶表示装置等の表示装置を構成した場合に、面光源装置において実際に表示装置の有効表示のための照明に利用される光が発せられる領域（すなわち、表示装置の有効な表示領域に対応する面光源装置の領域）のことである。この有効表示領域Ｆは、たとえば導光体光出射面４３内の領域についてもいうことができる。この有効表示領域Ｆは、面光源装置の発光領域に対して対角で１〜５ｍｍほど小さい領域となることが多い。また、導光体光出射面４３において、導光体４の光入射端面４１に隣接する端縁から有効表示領域Ｆまでの距離は、面光源装置の形状及びサイズにもよるが、一般的に１〜１０ｍｍ程度である。
【００３０】
光出射面４３において第３のレンズ列４３ｂが形成される領域は、上記入射側端縁部の幅方向に関し部分的であっても良い。但し、その幅は、上記の第３のレンズ列４３ｂの作用効果を一層高めるためには、入射側端縁部の幅の１／２以上であるのが好ましく、特に全体であるのが好ましい。
【００３１】
光出射面４３の第３のレンズ列４３ｂが設けられた以外の領域は、微細凹凸構造を有する粗面４３ａが形成されても良い。粗面４３ａを設けることにより、光出射面４３の法線方向（Ｚ方向）及び光入射端面４１と直交するＸ方向の双方を含むＸＺ面内の分布において指向性のある光を出射させる。この出射光分布のピークの方向が光出射面となす角度は例えば１０°〜４０°であり、出射光分布の半値全幅は例えば１０°〜４０°である。
【００３２】
導光体４の光出射面４３に形成される光出射制御機能構造としての微細凹凸構造を有する粗面４３ａの平均傾斜角θａは、ＩＳＯ４２８７／１−１９８４に従って、触針式表面粗さ計を用いて粗面形状を測定し、測定方向の座標をｘとして、得られた傾斜関数ｆ（ｘ）から次の（１）式および（２）式
Δａ＝（１／Ｌ）∫０Ｌ｜（ｄ／ｄｘ）ｆ（ｘ）｜ｄｘ  ・・・  （１）
θａ＝ｔａｎ−１（Δａ）  ・・・  （２）
を用いて求めることができる。ここで、Ｌは測定長さであり、Δａは平均傾斜角θａの正接である。粗面４３ａは、ＩＳＯ４２８７／１−１９８４による平均傾斜角θａが０．１〜１０度の範囲のものとすることが、光出射面４３内での輝度の均斉度を図る点から好ましい。平均傾斜角θａは、さらに好ましくは０．２〜８度の範囲であり、より好ましくは０．３〜５度の範囲である。
【００３３】
なお、導光体の光出射面の構成は、上述のものに限定されるものではなく、特に構造物を設けない鏡面や、一部または全体が粗面化された構成、レンズ列を形成した構成、これらを組み合わせた構成とされてもよい。
【００３４】
（導光体の裏面の構成）
図４〜図８を参照しながら、導光体４の裏面４４の構成を説明する。導光体４の光出射面４３と反対側の主面（すなわち、裏面４４）には、光出射面４３からの出射光のＬＥＤの配列方向と平行なＹＺ面内での指向性を制御するために、光入射端面４１を横切る方向例えば光入射端面４１に対して略垂直の方向（すなわち、光出射面４３に沿った面内での導光体４に入射した光の指向性の方向であるＸ方向）にほぼ沿って互いに平行に延びる多数の第４のレンズ列４４ａが形成されていることが好ましい。即ち、互いに略平行に配列された第４のレンズ列４４ａのそれぞれは、裏面４４と光入射端面４１との境界に垂直の方向即ちＸ方向にほぼ沿って延びている。尚、ここでいう「裏面４４と光入射端面４１との境界」における「裏面４４」は、第４のレンズ列４４ａの形状を除外したものを指すものとし、具体的にはＸＹ面と平行である。すなわち、ここでいう「裏面４４と光入射端面４１との境界」は、大略Ｙ方向に沿って延びている。
【００３５】
第４のレンズ列４４ａとしては、先端がＲ形状のプリズム列またはレンチキュラーレンズ列を用いるのが好ましい。本発明においては、第４のレンズ列４４ａの延びる方向と直交する断面の形状において、第４のレンズ列のアスペクト比、即ち第４のレンズ列４４ａの配列ピッチ（Ｐ１）と高さ（Ｈ１）との比（Ｐ１／Ｈ１）、が７〜２００、好ましくは８〜１５０、より好ましくは１０〜１００であり、断面形状が円弧であるか或いは先端が曲線である第４のレンズ列４４ａが好ましく用いられる。これは、第４のレンズ列４４ａのアスペクト比をこの範囲とすることで、光出射面４３からの出射光を十分に集光させることができ、さらにレンズ列の破損や潰れ、光反射素子８との擦れに起因する白点の発生を防止することができるからである。即ち、第４のレンズ列４４ａの形状をこの範囲内とすることで、出射光分布におけるピーク光方向を含みＸＺ面に垂直な面において出射光分布の半値全幅が３０°〜６５°である集光された出射光を出射させることができ、面光源装置としての輝度を向上させることができる。第４のレンズ列４４ａの配列ピッチＰ１は、例えば１０μｍ〜２００μｍ、好ましくは１０μｍ〜１５０μｍ、より好ましくは２０μｍ〜１００μｍである。また、第４のレンズ列４４ａの先端部の断面形状は、曲率半径Ｒが２５〜３００μｍの円弧形状であることが好ましいが、特に円弧形状に限定されず、それに近似できる形状であってもよい。また、第４のレンズ列４４ａの断面形状は、先端部以外の部分も曲線形状とされてもよく、例えばサインカーブなどにより表わされる波形状であってもよい。
【００３６】
図５に示されているように、導光体４の裏面の第４のレンズ列４４ａの先端部分に、凸状構造４５が複数形成されてもよい。図６には光入射端面４１と平行な断面（図５の点線Ｍに沿った断面）における第４のレンズ列４４ａの形状が示されている。この凸状構造４５のそれぞれは、第４のレンズ列の先端部分から突出する最大高さ（即ちＺ方向の最大高さ）が２μｍ以上となるように形成される。また、複数の凸状構造４５は、光入射端面に垂直なＸＹ面内において、任意の凸状構造４５を中心として、該凸状構造４５の最大高さの１００倍の半径を有する円（図７のＲ参照）の範囲内に、中心となる凸状構造４５を除いて２以上の凸状構造４５が配置されることが好ましい（図７参照）。このように、裏面４４において、第４のレンズ列の先端部分に、所定の範囲内に所定数が分布するように、凸状構造４５を設けることで、導光体４と光反射素子８との接触面積が減少する。かくして、導光体４と光反射素子８との接触により導光体４のレンズ列の全体に渡って傷が付くことを防止することができる。その結果、白点やスティッキングなどの光学欠陥の発生を防止することができる。凸状構造４５の突出する高さが２μｍよりも小さいと、第４のレンズ列４４ａの先端部が光反射素子と接触してしまうことを防止することが難しく、白点やスティッキングなどの発生を防止できない恐れがある。また、突出高さの１００倍の半径の範囲内に、凸状構造４５が２よりも少ないと、凸状構造４５により第４のレンズ列４４ａの先端部が光反射素子と接触してしまうことを防止することが難しく、白点やスティッキングなどの光学欠陥の発生を防止できない恐れがある。また、凸状構造４５の光入射端面に平行な面での断面形状は、先端が曲線から構成される三角形状または円弧形状とされることが好ましい。このような形状とすることで、凸状構造４５の先端部が潰れてしまうことを防止することができる。先端の曲率半径Ｒが１μｍ以上１００μｍ以下、好ましくは２μｍ以上５０μｍ以下、より好ましくは４μｍ以上２０μｍ以下に設定されることが好ましい。凸状構造４５は、波長と同程度の大きさだと色分散が起き、あまりにも大きいと肉眼で構造が認識できてしまうため、光入射端面に平行な面の断面形状において、凸状構造４５の幅が３μｍ以上７５μｍ以下、好ましくは４μｍ以上５０μｍ以下、より好ましくは７μｍ以上３０μｍ以下に設定されることが好ましい。
【００３７】
図８は、第４のレンズ列４４ａの延びる方向（図６の線Ｎ）にそった面（ＸＺ面）における、第４のレンズ列４４ａおよび凸状構造４５の断面図である。凸状構造４５の形状は適宜選択可能であるが、第４のレンズ列４４ａの延びる方向に沿って光入射端面から遠ざかるに従って高さを増す第１の領域４５ａと、その後光入射端面から遠ざかるに従って徐々に高さが低くなる第２の領域４５ｂとからなる構成が例示される。第２の領域４５ｂにおいて高さが急激に変化すると、導光体４の光入射端面４１近傍と反対端面４２近傍とで輝度のバランスを取ることが困難となり、均一に明るい面光源装置を提供することが困難になるおそれがある。従って、第２の領域４５ｂの平均傾斜角は０．５度以上５度以下とされることが好ましい。また、第１の領域４５ａと第２の領域４５ｂとの間に高さの変化しない平坦領域が設けられてもよい。この場合、第２の領域４５ｂの平均傾斜角は、平坦領域と第２の領域４５ｂとの平均傾斜角を指すものとする。凸状構造４５の大きさ（即ち、第４のレンズ列が延びる方向に沿った長さ）は波長と同程度の大きさだと色分散が起き、あまりにも大きいと肉眼で構造が認識できてしまう。従って、第４のレンズ列の大きさは２０μｍから２５０μｍの間に収まるのが好ましい。
【００３８】
また、凸状構造４５は、第４のレンズ列４４ａに沿って等間隔に設けられていてもよく、ランダムに配置されていてもよいが、周期的に凸状構造４５を設けることによる他の光学部材との干渉模様等の発生を防止する観点から、ランダムに配置されることが好ましい。また、凸状構造４５の間隔だけでなく、凸状構造４５の大きさそのものがランダムに変動しても良く、間隔および大きさの両方がランダムに変動しても構わない。さらに、複数の凸状構造４５は高さがランダムに変動しても構わない。
【００３９】
凸状構造４５の高さがランダムに変動する構造を形成する場合、形状を転写する金型を製造する際に、ダイヤモンド旋盤装置にピエゾ圧電素子を組み込んだ振動装置を設置し、周期性の無いノイズ信号を振動装置に入力し、ダイヤモンドバイトをランダムに振動させながら金型を加工することにより、ランダムにパターンの深さが変化した形状を得ることができる。ダイヤモンドバイトの振動方向は、Ｚ方向に対応する方向にのみ振動してもよく、Ｚ方向およびＹ方向に振動してもよい。
【００４０】
また、第４のレンズ列４４ａの延びる方向に沿った凸状構造４５の長さや間隔がランダムに変動する構造を形成する場合、ダイヤモンドバイトの送り速度をランダムに変動させながら金型を加工してもよい。
【００４１】
周期性のないノイズ信号を発生させる方法としては公知の方法を用いることができる。例えば所望のフィルターで帯域をカットしたノイズ信号やＳＩＮ波などの基本波形にノイズ成分を入れて変調させた波形、周期性がないように組んだ擬似ランダム波形など、それらを振動装置に入れて駆動することにより、ダイヤモンドバイト等の動作をランダムに変動させることができる。
【００４２】
凸状構造４５の高さの変動を実現するための振動の振幅は、大きい方が白点やスティッキングの発生低減には有効である。しかし、振幅が大きくなるにつれて、加工は不安定になりやすく、バリやスジ、加工面の荒れなどの外観欠陥を発生し易くなる傾向にある。このように、加工上は振幅は小さい方が好ましいが、凸状構造４５の高さの変化量が１０％以下であると、スティッキングや白点の低減効果が小さくなる傾向にある。また、凸状構造４５の高さの変化量が８０％を超えると、外観欠陥が発生しやすく、面光源装置のギラツキも発生しやすい傾向にある。
【００４３】
なお、導光体４の光出射機能構造としては、上記の様な光出射面４３及び／または裏面４４に形成したレンズ列や粗面と併用して、導光体４の内部に光拡散性微粒子を混入分散することで形成したものを用いることができる。また、導光体４としては、図１に示される様な全体として一様な厚さ（光出射面４３の粗面の微細凹凸形状及びレンズ列形状並びに裏面４４のレンズ列形状等を無視した場合の厚さ）の板状のものの他に、Ｘ方向に関して光入射端面４１から反対端面４２の方へと次第に厚さが小さくなる様なくさび状のもの等の、種々の断面形状のものを使用することができる。さらに、導光体４の光出射面４３の有効表示領域Ｆを鏡面とし、裏面４４の第４のレンズ列４４ａの表面を粗面としても構わない。この場合、第４のレンズ列４４ａの表面は、第４のレンズ列４４ａの斜面を基準面として、平均傾斜角θａが０．１〜１０度の範囲のものとすることが、光出射面４３内での輝度の均斉度を図る点から好ましい。平均傾斜角θａは、さらに好ましくは０．２〜８度の範囲であり、より好ましくは０．３〜５度の範囲である。さらに、凸状構造４５を構成する斜面の傾斜角をそれぞれ調整することにより、導光体４の光の出射を制御しても構わない。
【００４４】
導光体４の厚さは、例えば０．３〜１０ｍｍである。
【００４５】
（光偏向素子）
光偏向素子６は、導光体４の光出射面４３上に配置されている。光偏向素子６の２つの主面は、それぞれ全体としてＸＹ面と略平行に位置する。２つの主面のうちの一方（導光体の光出射面４３と対向する主面）は入光面６１とされており、他方が出光面６２とされている。出光面６２は、導光体４の光出射面４３と平行な平坦面または粗面とされている。入光面６１は、多数のプリズム列６１ａが互いに平行に配列されたプリズム列形成面とされている。
【００４６】
入光面６１のプリズム列６１ａは、ＬＥＤの配列方向と略平行のＹ方向に延び、互いに平行に形成されている（すなわち、入光面６１には導光体光入射端面４１に沿って互いに平行に配列された複数のプリズム列６１ａが形成されている）。プリズム列６１ａの配列ピッチＰ２は、１０μｍ〜１００μｍの範囲とすることが好ましく、より好ましくは１０μｍ〜８０μｍ、さらに好ましくは２０μｍ〜７０μｍの範囲である。また、プリズム列６５の頂角は、３０°〜８０°の範囲とすることが好ましく、より好ましくは４０°〜７０°の範囲である。
【００４７】
光偏向素子６においては、所望の形状のプリズム列を精確に作製し、安定した光学性能を得るとともに、組立作業時や光源装置としての使用時におけるプリズム列頂部の摩耗や変形を抑止する目的で、プリズム列の頂部に頂部平坦部あるいは頂部曲面部を形成してもよい。この場合、頂部平坦部あるいは頂部曲面部の幅は、３μｍ以下とすることが、面光源装置としての輝度の低下やスティッキングによる輝度の不均一パターンの発生を抑止する観点から好ましく、より好ましくは頂部平坦部あるいは頂部曲面部の幅は２μｍ以下であり、さらに好ましくは１μｍ以下である。
【００４８】
光偏向素子６の厚さは、例えば３０〜３５０μｍである。
【００４９】
図９に、光偏向素子６による光偏向の様子を示す。この図は、ＸＺ面内での導光体４からのピーク出射光（出射光分布のピークに対応する光）の進行方向を示すものである。導光体４の光出射面４３の特に有効表示領域Ｆから斜めに出射される光は、光偏向素子６のプリズム列６１ａの第１面へ入射し第２面により全反射されて、導光体４からの出射光の指向性をほぼ維持したまま出光面６２の略法線の方向に出射する。これにより、ＸＺ面内では、出光面６２の法線の方向において高い輝度を得ることができる。
【００５０】
光偏向素子６は、導光体４からの出射光を目的の方向に偏向（変角）させる機能を果たすものであり、上記の様な指向性の高い光を出射する導光体４と組み合わせる場合には、少なくとも一方の面に多数のレンズ単位が並列して形成されたレンズ面を有するレンズシートを使用することが好ましい。レンズシートに形成されるレンズ形状は、目的に応じて種々のものが使用され、例えば、プリズム形状、レンチキュラーレンズ形状、フライアイレンズ形状、波型形状等が挙げられる。中でも断面略三角形状の多数のプリズム列が並列に配置されたプリズムシートが特に好ましい。但し、プリズム列を構成する２つのプリズム面の少なくとも一方は、断面が複数の直線からなるものまたは１つ以上の曲線からなるもの或いは１つ以上の直線と１つ以上の曲線との組合せからなるものであっても良い。
【００５１】
導光体４及び光偏向素子６は、光透過率の高い合成樹脂から構成することができる。このような合成樹脂としては、メタクリル樹脂、アクリル樹脂、ポリカーボネート系樹脂、ポリエステル系樹脂、塩化ビニル系樹脂、環状ポリオレフィン樹脂が例示できる。特に、メタクリル樹脂が、光透過率の高さ、耐熱性、力学的特性、成形加工性に優れており、最適である。このようなメタクリル樹脂としては、メタクリル酸メチルを主成分とする樹脂であり、メタクリル酸メチルが８０重量％以上であるものが好ましい。導光体４及び光偏光素子６の粗面の表面構造やプリズム列等の表面構造を形成するに際しては、透明合成樹脂板を所望の表面構造を有する型部材を用いて熱プレスすることで形成してもよいし、スクリーン印刷、押出成形や射出成形等によって成形と同時に形状付与してもよい。また、熱あるいは光硬化性樹脂等を用いて構造面を形成することもできる。更に、ポリエステル系樹脂、アクリル系樹脂、ポリカーボネート系樹脂、塩化ビニル系樹脂、ポリメタクリルイミド系樹脂等からなる透明フィルムあるいはシート等の透明基材上に、活性エネルギー線硬化型樹脂からなる粗面構造またレンズ列配列構造を表面に形成してもよいし、このようなシートを接着、融着等の方法によって別個の透明基材上に接合一体化させてもよい。活性エネルギー線硬化型樹脂としては、多官能（メタ）アクリル化合物、ビニル化合物、（メタ）アクリル酸エステル類、アリル化合物、（メタ）アクリル酸の金属塩等を使用することができる。
【００５２】
（光反射素子）
光反射素子８としては、例えば表面に金属蒸着反射層を有するプラスチックシートを用いることができる。本発明においては、光反射素子８として光反射素子に代えて、導光体４の裏面４４に金属蒸着等により形成された光反射層等を用いることも可能である。尚、導光体４の光入射端面として利用される端面以外の端面にも反射部材を付することが好ましい。
【００５３】
ＬＥＤから発せられる光を少ないロスで導光体４の光入射端面４１へと導くために、リフレクタ１０が設けられている。該リフレクタ１０としては、例えば、表面に金属蒸着反射層を有するプラスチックフィルムを用いることができる。図示されているように、リフレクタ１０は、光反射素子８の端縁部外面からＬＥＤの外側を経て光偏光素子６の出光面端縁部へと巻き付けられている。別法として、リフレクタ１０は、光偏向素子６を避けて、光反射素子８の端縁部外面からＬＥＤの外側を経て導光体４の光出射面端縁部へと巻き付けることも可能である。
【００５４】
（液晶表示装置）
以上のような一次光源２、導光体４、光偏向素子６および光反射素子８からなる面光源装置の発光面（光偏向素子６の出光面６２）上に、透過型液晶表示素子等の表示素子を配置することにより液晶表示装置等の表示装置が構成される。図１において、符号Ｆは、面光源装置と組み合わせて使用される表示素子の有効表示の領域に対応する当該面光源装置の上記有効表示領域を示す。
【００５５】
本実施形態では、リフレクタ１０は、有効表示領域Ｆ以外の領域の光偏向素子６、導光体４及び光反射素子８の積層体の端面部並びにＬＥＤを覆うように配置されている。これにより、積層体の端面部から出射する光及びＬＥＤのケースから漏れ出す光をＸＹ面内において良好に拡散させて反射させ導光体４へと再入射させることができ、導光体光出射面４３の広い領域へと所要の強度の光を導くことができ、輝度の均斉度の向上に寄与することができる。
【００５６】
液晶表示装置等の表示装置は、図１における上方から液晶表示素子等の表示素子を通して観察者により観察される。十分にコリメートされた狭い分布の光を面光源装置から液晶表示素子に入射させることができるため、液晶表示素子での階調反転等がなく明るさ、色相の均一性の良好な画像表示が得られるとともに、所望の方向に集中した光照射が得られ、この方向の照明に対する一次光源の発光光量の利用効率を高めることができる。また、入射端面近傍の輝度ムラの発生が防止されることから、額縁部分を小さくし、より大画面・高品質・低消費電力な液晶表示装置を提供することができる。
【００５７】
なお、光偏向素子６の出光面６２上に、光拡散素子７を隣接配置することができる。この光拡散素子７により、画像表示の品位低下の原因となるぎらつきや輝度斑などを抑止し、画像表示の品質を向上させることができる。光拡散素子７は、光拡散材を混入したシート状のものとすることができ、光偏向素子６の出光面６２側にて該光偏向素子６に接合などにより一体化させてもよいし、光偏向素子６上に載置してもよい。光偏向素子６上に載置する場合には、光偏向素子６とのスティッキング防止のために、光拡散素子の光偏向素子６と対向する側の面（光入射側の面）に凹凸構造を付与することが好ましい。更に、光拡散素子７の光出射側の面にも、その上に配置される液晶表示素子との間でのスティッキング防止のために、凹凸構造を付与することが好ましい。この凹凸構造は、十点平均粗さが好ましくは０．７°以上、更に好ましくは１．０°以上、より好ましくは１．５°以上となるような構造とすることができる。
【００５８】
上記の説明により、本発明の実施形態について詳細な説明を行ったが、本発明は上述の説明に限定されるものではなく、種々の変更が加えられても構わない。
【００５９】
例えば、本発明の実施形態では導光体の裏面に、レンズ列が設けられ、その先端に凸状構造が設けられる構成について説明したが、導光体の光出射面にレンズ列が設けられ、凸状構造のみが裏面に設けられる構成であっても構わない。さらに、導光体の光出射面の光入射端面近傍に、光出射面のその他の部分とは異なる形状のレンズ列が併設されても構わない。
【実施例】
【００６０】
以下、実施例及び比較例によって本発明を説明する。
【００６１】
［実施例１］
鏡面仕上げをした有効面積７１ｍｍ（Ｘ方向寸法）×１１６ｍｍ（Ｙ方向寸法）、厚さ３ｍｍのステンレススチール板を型素材として用い、ガラスビーズ（ポッターズバロティーニ社製Ｊ２２０）をブラスト粒子として用いてブラスト処理を行った。ガラスビーズは、２０ｇ／分の量を、３２０ｍｍの高さから、光入射端面に近い側から遠い側へと５ｍｍピッチで帯状に複数回にわたって噴射し、それぞれの帯につき速度を２０ｍ／分から４ｍ／分に変化させ、圧力は０．３ＭＰａで操作させることで、平均傾斜角２．３度から２．７度のグラデーションを形成した。これにより、光出射面を転写形成するための形状転写面を有する第１の型部材を得た。
【００６２】
一方、鏡面仕上げをした有効面積７１ｍｍ（Ｘ方向寸法）×１１６ｍｍ（Ｙ方向寸法）、厚さ３０ｍｍのスタバックス型素材を用い、その表面に、第４のレンズ列４４ａを形成してなるレンズ列形成面からなる導光体裏面４４を転写形成するための形状転写面を切削加工により形成し、第２の型部材を得た。レンズ列形成面のレンズ列は、先端がＲ形状のプリズム列からなり、頂角９０°、頂部先端曲率半径Ｒ３０μｍ、高さ１２μｍであった。また、プリズム列の延びる方向は、上記型素材の長辺と垂直の方向（Ｘ方向）になるようにした。
【００６３】
また、鏡面仕上げをした有効面積１１６ｍｍ（Ｙ方向寸法）×０．７ｍｍ（Ｚ方向寸法）、厚さ１７ｍｍの別のスタバックス型素材を用い、図２に示すような第１のレンズ列４１ａと第２のレンズ列４１ｂとを形成してなる光入射端面を転写するための形状を転写面に切削加工し、第３の型部材を得た。第１のレンズ列４１ａの形状は、断面形状の曲率半径が５１μｍ、高さが１２．１μｍ、配列ピッチが１９６．５μｍ、傾斜角度が２０度であった。また、第２のレンズ列４１ｂの形状は、断面形状の曲率半径が１３０μｍ、高さが８．８μｍ、配列ピッチが１９４．８μｍ、傾斜角度が１０度であった。
【００６４】
上記３つの成形用型部材を用いて、透明アクリル樹脂組成物を射出成形することにより、短辺７１ｍｍ、長辺１１６ｍｍの長方形で、厚みが０．７ｍｍの略矩形であり、一方の面（光出射面４３）が粗面からなり、他方の面（裏面４４）が第４のレンズ列４４ａを有するレンズ列形成面からなり、光入射端面に第１のレンズ列４１ａおよび第２のレンズ列４１ｂとを有する透明アクリル樹脂製の導光体３を得た。
【００６５】
導光体の光入射端面４１に対向するようにして、該光入射端面の長辺に沿って等間隔で１４個のＬＥＤ（豊田合成社製、Ｅ１Ｓ６２−ＹＷＯＳ７−０７）を配置し、更にリフレクタ１０を配置した。また、導光体の裏面４４に対向するようにして光反射素子８として光反射素子（東レ社製Ｅ６ＳＲ）を配置し、光出射面４３に対向するようにして光偏向素子６として頂角６５°でピッチ２９μｍのプリズム列が多数並列に形成された厚さ１５５μｍのプリズムシート（三菱レイヨン社製Ｍ１６８ＹＴＣ３）を、そのプリズム列形成面が光出射面４３に対向するように配置し、図１及び図２に示したような面光源装置を作製した。
【００６６】
得られた面光源装置を点灯し、光入射端面からＸ方向に２ｍｍの場所において、Ｙ方向に連続的に輝度を測定した。その結果の左半分を図１０の下側のグラフの左半分に示す。図１０において右側のグラフは、Ｙ方向に関する導光体の中央位置においてＸ方向に連続的に測定した輝度を示す。
【００６７】
［実施例２］
鏡面仕上げをした有効面積１１６ｍｍ（Ｙ方向寸法）×０．７ｍｍ（Ｚ方向寸法）、厚さ１７ｍｍのスタバックス型素材を用い、図２に示すような第１のレンズ列４１ａと第２のレンズ列４１ｂとを形成してなる光入射端面を転写するための形状を転写面に切削加工し、第３の型部材を得た。第１のレンズ列４１ａの形状を、断面形状の曲率半径が１３０μｍ、高さが８．８μｍ、配列ピッチが９５μｍとし、隣接する第１のレンズ列４１ａ同士の間に間隔が無い形状とした。第２のレンズ列４１ｂの形状を、断面形状の曲率半径が１３０μｍ、高さが８．８μｍ、配列ピッチが１９４．８μｍ、傾斜角度が１０度とした。それ以外は実施例１と同様にして、面光源装置を作製した。
【００６８】
得られた面光源装置を点灯し、実施例１と同様にして輝度を測定した。その結果の右半分を図１０の下側のグラフの右半分に示す。
【００６９】
［比較例１］
光入射端面に第２のレンズ列を形成しなかった以外は実施例１と同様にして、面光源装置を作製した。
【００７０】
得られた面光源装置を点灯し、実施例１と同様にして輝度を測定した。その結果の左半分を図１１の下側のグラフの左半分に示す。図１１において右側のグラフは、Ｙ方向に関する導光体の中央位置においてＸ方向に連続的に測定した輝度を示す。
【００７１】
［比較例２］
光入射端面に第２のレンズ列を形成しなかった以外は実施例２と同様にして、面光源装置を作製した。
【００７２】
得られた面光源装置を点灯し、実施例２と同様にして輝度を測定した。その結果の右半分を図１１の下側のグラフの右半分に示す。
【００７３】
図１０及び図１１から明らかなように、第２のレンズ列４１ｂが形成されず第１のレンズ列４１ａのみが形成された光入射端面をもつ導光体を用いた比較例１および２においては光入射端面近傍において輝度ムラが目立っているが、第１のレンズ列４１ａ及び第２のレンズ列４１ｂの双方が形成された光入射端面をもつ導光体を用いた本発明実施例１および２においては光入射端面近傍において輝度ムラは目立たなかった。
【符号の説明】
【００７４】
２  一次光源
４  導光体
４１  光入射端面
４１ａ  第１のレンズ列
４１ｂ  第２のレンズ列
４２  反対端面
４３  光出射面
４３ａ  粗面
４３ｂ  第３のレンズ列
４４  裏面
４４ａ  第４のレンズ列
４５  凸状構造
４５ａ  第１の領域
４５ｂ  第２の領域
６  光偏向素子
６１  入光面
６１ａ  プリズム列
６２  出光面
７  光拡散素子
８  光反射素子
１０  リフレクタ
【図１】
2012038423.tif 000003
【図２】
2012038423.tif 000004
【図３】
2012038423.tif 000005
【図４】
2012038423.tif 000006
【図５】
2012038423.tif 000007
【図６】
2012038423.tif 000008
【図７】
2012038423.tif 000009
【図８】
2012038423.tif 000010
【図９】
2012038423.tif 000011
【図１０】
2012038423.tif 000012
【図１１】
2012038423.tif 000013